(57)【要約】【課題】画像データのファイルを送信する前に設定された情報により変換した画像データのファイルサイズを表示できる画像形成装置及び画像データ送信システムを提供する。【解決手段】画像データ送信情報のファイル表示に「ＯＮ」が設定されると、ステップＳ１０４で画像データを最高の解像度であるベース画像に変換する。ステップＳ１０６でベース画像に変換した画像データを設定された解像度とカラーモードに変換し、ステップＳ１０７で設定されたファイル形式のファイルを作成する。ステップＳ１０８で画像データのファイルサイズを表示する。ステップＳ１０９において設定変更が行われたときには、ステップＳ１１０で画像データ送信情報を取り出し、またステップＳ１１１でベース画像の画像データを取り出し、ステップＳ１０６に戻る。ステップＳ１１４において「ＯＫ」ボタンがポイントされたときには、ステップＳ１１５で画像データのファイルを送信する。【選択図】図４
2016012883.tif 000002
【特許請求の範囲】
【請求項１】
画像データを最高の解像度であるベース画像に変換するベース画像変換手段と、
前記ベース画像の前記画像データを設定された解像度に変換する解像度変換手段と、
前記設定された解像度に変換された前記画像データのファイルサイズを表示するファイルサイズ表示手段と
を備えることを特徴とする画像形成装置。
【請求項２】
前記ベース画像の前記画像データを設定されたカラーモードに変換するカラーモード変換手段を備え、
前記ファイルサイズ表示手段は、前記カラーモードに変換した前記画像データのファイルサイズを表示することを特徴とする請求項１に記載の画像形成装置。
【請求項３】
前記ベース画像の前記画像データを設定されたファイル形式のファイルに変換するファイル形式変換手段を備え、
前記ファイルサイズ表示手段は、前記ファイル形式に変換した前記画像データのファイルサイズを表示することを特徴とする請求項１または請求項２に記載の画像形成装置。
【請求項４】
前記ベース画像に変換した前記画像データを記憶するベース画像データ記憶手段を備えることを特徴とする請求項１から請求項３のいずれか１項に記載の画像形成装置。
【請求項５】
送信側の画像形成装置と受信側の画像形成装置を有する画像データ送信システムであって、
送信側の前記画像形成装置は、
画像データを最高の解像度であるベース画像に変換するベース画像変換手段と、
前記ベース画像の前記画像データを設定された解像度に変換する解像度変換手段と、
前記設定された解像度に変換された前記画像データのファイルサイズを表示するファイルサイズ表示手段と、
前記画像データのファイルを送信する画像データファイル送信手段と
を備え、
受信側の前記画像形成装置は、
前記画像データのファイルを受信する画像データファイル受信手段
を備え
ることを特徴とする画像データ送信システム。
【請求項６】
送信側の前記画像形成装置は、
前記ベース画像の前記画像データを設定されたカラーモードに変換するカラーモード変換手段を備え、
前記ファイルサイズ表示手段が前記カラーモードに変換した前記画像データのファイルサイズを表示することを特徴とする請求項５に記載の画像データ送信システム。
【請求項７】
送信側の前記画像形成装置は、
前記ベース画像の前記画像データを設定されたファイル形式のファイルに変換するファイル形式変換手段を備え、
前記ファイルサイズ表示手段が前記ファイル形式に変換した前記画像データのファイルサイズを表示することを特徴とする請求項５または請求項６に記載の画像データ送信システム。
【請求項８】
送信側の前記画像形成装置は、
前記ベース画像に変換した前記画像データを記憶するベース画像データ記憶手段を備えることを特徴とする請求項５から請求項７のいずれか１項に記載の画像データ送信システム。
【発明の詳細な説明】
【技術分野】
【０００１】
本発明は、画像データの送信に係り、特に画像データの画像密度（以下、「解像度」という）を設定して画像データを送信する画像形成装置、及び画像データ送信システムに関する。
【背景技術】
【０００２】
最近の技術によれば、プリンター、多機能プリンター、多機能周辺装置、又は複合機などのＭＦＰ（Ｍｕｌｔｉｆｕｎｃｔｉｏｎ  Ｐｅｒｉｐｈｅｒａｌ）である画像形成装置は、文書をスキャナーで読み込み、ユーザーが設定した解像度の画像データを他の画像形成装置に送信することができる。また、画像データを受信した画像形成装置は、画像データに設定された解像度で画像データを保存し、保存した画像データを表示または印刷出力することができる。しかし、高い解像度の画像データは、ファイルサイズが大きくなるため、受信できるファイルサイズに制限がある画像形成装置では、ファイルサイズが大きい画像データを受信することができない。このため、送信側の画像形成装置は受信側の画像形成装置が受信できるファイルサイズなどの情報を記憶し、この情報により決定した解像度で画像データのファイルを受信側の画像形成装置に送信するようにしている。例えば、特許文献１の画像データ送信装置及び画像データ送信方法では、画像データから解像度の異なる複数の画像変換データファイルに変換し、画像変換データファイルのそれぞれのファイル情報と共にそれぞれの異なる解像度の画像変換データファイルのプレビューを受信装置に送信する。受信装置は、ファイル情報と画像変換データファイルのプレビューを受信すると、画像データの変換方法に関する指示情報を画像データ送信装置に送信する。画像データ送信装置は、受信した指示情報に基づいて画像変換データファイルを編集して受信装置に送信している。このように、画像データ送信装置は、受信装置の指示情報のファイルサイズで画像変換データを受信装置に送信できる。
【先行技術文献】
【特許文献】
【０００３】
【特許文献１】特開２００６−３１４０２１号公報
【発明の概要】
【発明が解決しようとする課題】
【０００４】
しかし、特許文献１の画像データ送信装置及び画像データ送信方法では、画像データ送信装置が画像変換データファイルのファイル情報と画像変換データファイルのプレビューを受信装置に送信し、受信装置が指示情報を画像データ送信装置に送信しなければならない。つまり、画像データ送信装置が画像変換データを受信装置に送信する前に、情報の送受信を行わなければならないので、画像データ送信装置、受信装置、及びネットワークに負荷がかかるという問題があった。
【０００５】
本発明はこのような状況に鑑みてなされたものであり、上記課題を解決できる画像形成装置、及び画像データ送信システムを提供することを目的とする。
【課題を解決するための手段】
【０００６】
本発明の画像形成装置は、画像データを最高の解像度であるベース画像に変換するベース画像変換手段と、前記設定されたベース画像の前記画像データを設定された解像度に変換する解像度変換手段と、前記解像度に変換された前記画像データのファイルサイズを表示するファイルサイズ表示手段とを備えることを特徴としている。
また、本発明の画像形成装置は、前記ベース画像の前記画像データを設定されたカラーモードに変換するカラーモード変換手段を備え、前記ファイルサイズ表示手段が前記カラーモードに変換した前記画像データのファイルサイズを表示することを特徴としている。
また、本発明の画像形成装置は、前記ベース画像の前記画像データを設定されたファイル形式のファイルに変換するファイル形式変換手段を備え、前記ファイルサイズ表示手段が前記ファイル形式に変換した前記画像データのファイルサイズを表示することを特徴としている。
また、本発明の画像形成装置は、前記ベース画像に変換した前記画像データを記憶するベース画像データ記憶手段を備えることを特徴としている。
本発明の画像データ送信システムは、送信側の画像形成装置と受信側の画像形成装置を有する画像データ送信システムであって、送信側の前記画像形成装置が画像データを最高の解像度であるベース画像に変換するベース画像変換手段と、前記ベース画像の前記画像データを設定された解像度に変換する解像度変換手段と、前記設定された解像度に変換された前記画像データのファイルサイズを表示するファイルサイズ表示手段と、前記画像データのファイルを送信する画像データファイル送信手段とを備え、受信側の前記画像形成装置が前記画像データのファイルを受信する画像データファイル受信手段を備えることを特徴としている。
また、本発明の画像データ送信システムの送信側の前記画像形成装置は、前記ベース画像の前記画像データを設定されたカラーモードに変換するカラーモード変換手段を備え、前記ファイルサイズ表示手段が前記カラーモードに変換した前記画像データのファイルサイズを表示することを特徴としている。
また、本発明の画像データ送信システムの送信側の前記画像形成装置は、前記ベース画像の前記画像データを設定されたファイル形式のファイルに変換するファイル形式変換手段を備え、前記ファイルサイズ表示手段が前記ファイル形式に変換した前記画像データのファイルサイズを表示することを特徴としている。
また、本発明の画像データ送信システムの送信側の前記画像形成装置は、前記ベース画像に変換した前記画像データを記憶するベース画像データ記憶手段を備えることを特徴としている。
【発明の効果】
【０００７】
本発明の画像形成装置、及び画像データ送信システムは、画像データのファイルを送信する前に、解像度、カラーモード、及びファイル形式の設定情報に基づいて変換した画像データのファイルサイズを表示できる。
【図面の簡単な説明】
【０００８】
【図１】本発明の実施形態に係る画像データ送信システムの構成を示す図である。
【図２】図１に示す画像形成データ送信システムの画像形成装置の機能構成を示す図である。
【図３】本発明の実施形態に係る画像データ送信情報設定画面と送信ファイルサイズ画面の画面フォーマットを示す図である。
【図４】本発明の実施形態に係る画像形成装置の画像データ送信処理の流れを示すフローチャートである。
【発明を実施するための形態】
【０００９】
以下、本発明を実施するための形態（以下、「実施形態」という）を、図面を参照して説明する。本実施形態は、画像データのファイルを送信するときに、画像データの解像度、カラーモード、及びファイル形式が設定されると、解像度、カラーモード、及びファイル形式により算出した画像データのファイルサイズを表示する。また、画像データの解像度、カラーモード、及びファイル形式が変更されると、変更した解像度、カラーモード、及びファイル形式により算出した画像データのファイルサイズを表示するものである。
【００１０】
本実施形態の画像データ送信システム１０の概要について、図１を用いて説明する。図１に示すように、画像データ送信システム１０は、画像形成装置１００、画像形成装置２００、ルーター３００、ＬＡＮ（Local Area Network）４００、及びインターネット５００により構成されている。画像形成装置１００、画像形成装置２００、及びルーター３００は、ＬＡＮ４００に接続されている。ルーター３００は、インターネット５００に接続されている。実施形態においては、画像形成装置１００を送信側、画像形成装置２００を受信側として、画像形成装置１００から画像形成装置２００に画像データのファイルを送信する場合について説明する。
【００１１】
次に、画像データ送信システム１０を構成する装置や機器について説明する。
【００１２】
画像形成装置１００は、プリンター、多機能プリンター、多機能周辺装置、又は複合機であり、画像データの送受信、原稿台から直接読み取った原稿の画像データや受信した画像データの印刷を行う。
【００１３】
画像形成装置２００は、プリンター、多機能プリンター、多機能周辺装置、又は複合機であり、画像データの送受信、原稿台から直接読み取った原稿の画像データや受信した画像データの印刷を行う。
【００１４】
ルーター３００は、ＬＡＮ４００とインターネット５００とを接続する。また、ルーター３００がＬＡＮ４００に接続するときにファイアーウォール（図示せず）を経由させる。このファイアーウォールにより、ＬＡＮ４００に接続されている画像形成装置１００と画像形成装置２００へのインターネット５００からの不正アクセスを防止する。
【００１５】
次に、画像形成装置１００の機能構成について、図２を用いて説明する。なお、画像形成装置２００の機能構成は、画像形成装置１００の機能構成に同じである。
図２に示す画像形成装置１００は、制御部１１０、メモリー部１２０、データ保存部１３０、ＬＡＮインターフェイス部１４０、操作パネル１５０、操作パネル処理部１６０、原稿読取部１７０、画像形成部１８０、及び印刷部１９０を備え、これら各部はバスなどにより接続される構成となっている。
【００１６】
制御部１１０は、ＲＡＭやＲＯＭ等の主記憶手段、及びＣＰＵ(Central Processing Unit)等の制御手段を備えている。また、制御部１１０は、各種Ｉ／Ｏや、ＵＳＢ（ユニバーサル・シリアル・バス）等のインターフェイス、バスコントローラー等を含む総合的な画像形成装置１００の制御を行う。制御部１１０には、画像データ送信処理部１１０ａが設けられている。画像データ送信処理部１１０ａは、画像データのファイルを画像形成装置２００に送信する。
【００１７】
メモリー部１２０は、フラッシュメモリー等からなる補助記憶装置で、制御部１１０が実行する処理のプログラムやデータを記憶する。メモリー部１２０には、画像データ送信情報記憶エリア１２０ａとベース画像データ一時記憶エリア１２０ｂが設けられている。
画像データ送信情報記憶エリア１２０ａは、ユーザーが画像データを送信するときに画像データ送信情報設定画面７１０及び送信ファイルサイズ画面７２０から設定する画像データの原稿サイズ、送信サイズ、ファイル形式、ファイルサイズ、及び解像度などの情報（以下、「画像データ送信情報」という）を記憶する（図３参照）。画像データ送信情報設定画面７１０及び送信ファイルサイズ画面７２０の詳細については、後述する。
ベース画像データ一時記憶エリア１２０ｂは、画像データを最高の解像度（６００ｄｐｉ）であるベース画像に変換した画像データを一時的に記憶する。
【００１８】
データ保存部１３０は、データやプログラムを保存するハードディスクドライブである。データ保存部１３０には、画像データ保存エリア１３０ａが設けられている。
画像データ保存エリア１３０ａは、原稿読取部１７０により原稿が読み取られて画像形成部１８０により画像処理された画像データ、ＬＡＮインターフェイス部１４０を経由して画像形成装置２００に送信する画像データ、またはＬＡＮインターフェイス部１４０を経由して画像形成装置２００から受信する画像データを保存する。
【００１９】
ＬＡＮインターフェイス部１４０は、ＬＡＮ４００に接続するための着脱可能なＬＡＮインターフェイスを備えている。ＬＡＮインターフェイスには、ＴＣＰ／ＩＰ、ＡｐｐｌｅＴａｌｋ、ＳＭＢ等の各種ネットワークプロトコルのインテリジェントな送受信を行うネットワーク部を含んでいる。
【００２０】
操作パネル１５０は、操作メニューの表示、ユーザーの指による操作を受け付ける。また、ユーザーは操作パネル１５０から画像形成装置１００に設定する各種情報を入力することができる。また、操作パネル１５０は、画像データ送信情報設定画面７１０及び送信ファイルサイズ画面７２０のユーザーの表示操作を受け付け、また画像データ送信情報設定画面７１０及び送信ファイルサイズ画面７２０からの設定を入力する。
【００２１】
操作パネル処理部１６０は、画像形成装置１００が備えている機能の操作項目を操作パネル１５０に表示する処理、及び操作パネル１５０からユーザーが行う操作に対する操作データを入力する処理を行う。また、操作パネル処理部１６０は、ユーザーの表示操作により画像データ送信情報設定画面７１０及び送信ファイルサイズ画面７２０を操作パネル１５０に表示し、画像データ送信情報設定画面７１０及び送信ファイルサイズ画面７２０からユーザーが設定した画像データ送信情報をメモリー部１２０の画像データ送信情報記憶エリア１２０ａに記憶する。
【００２２】
原稿読取部１７０は、ユーザーが操作パネル１５０から原稿の読み取り要求を行うと、原稿台にセットされた原稿の読み取りを行い、原稿データを作成する。
【００２３】
画像形成部１８０は、ユーザーからの読み取り要求により原稿読取部１７０で作成した原稿データから画像データを形成し、また画像データを指定された解像度に変換する。
【００２４】
印刷部１９０は、ユーザーから印刷要求のあった画像データをコピー用紙などに印刷する。
【００２５】
次に、画像形成装置１００の画像データを送信するときに設定する画像データ送信情報設定画面７１０及び送信ファイルサイズ画面７２０について、図３を用いて説明する。図３（１）は、画像データ送信情報設定画面７１０の画面フォーマットである。図３（２）、（３）は、送信ファイルサイズ画面７２０の画面フォーマットである。
【００２６】
まず、図３（１）に示す画像データ送信情報設定画面７１０について説明する。画像データ送信情報設定画面７１０は、ユーザーが画像データのファイルを送信するときに設定する画面である。画像データ送信情報設定画面７１０から設定された情報は、メモリー部１２０のベース画像データ一時記憶エリア1２０ｂに記憶される。画像データ送信情報設定画面７１０は、画像データプレビュー表示エリア７１１と画像データ送信情報設定エリア７１２を備えている。
【００２７】
画像データプレビュー表示エリア７１１は、ユーザーが送信する画像データのプレビュー画像を表示する。
【００２８】
画像データ送信情報設定エリア７１２は、「原稿サイズ」ボタン７１２ａ、「原稿サイズ」表示エリア７１２ｂ、「送信サイズ」ボタン７１２ｃ、「送信サイズ」表示エリア７１２ｄ、「ファイル形式」ボタン７１２ｅ、「ファイル形式」表示エリア７１２ｆ、「解像度」ボタン７１２ｇ、「解像度」表示エリア７１２ｈ、「カラーモード」ボタン７１２ｉ、「カラーモード」表示エリア７１２ｊ、「サイズ表示」ボタン７１２k、及び「サイズ表示」表示エリア７１２lが設けられている。
【００２９】
「原稿サイズ」ボタン７１２ａは、ポイントされる度に「原稿サイズ」表示エリア７１２ｂの表示が変わるので、「原稿サイズ」ボタン７１２ａによってユーザーが「原稿サイズ」表示エリア７１２ｂに表示した「原稿サイズ」を画像データ送信情報の原稿サイズに設定することができる。例えば、ユーザーが「原稿サイズ」ボタン７１２ａをポイントし、「原稿サイズ」表示エリア７１２ｂに「Ａ４」が表示されたときにポイントを止めると、原稿サイズにＡ４が設定される。
【００３０】
「送信サイズ」ボタン７１２ｃは、ポイントされる度に「送信サイズ」表示エリア７１２ｄの表示が変わるので、「送信サイズ」ボタン７１２ｃによってユーザーが「送信サイズ」表示エリア７１２ｄに表示した「送信サイズ」を画像データ送信情報の送信サイズに設定することができる。例えば、ユーザーが「送信サイズ」ボタン７１２ｃをポイントし、「送信サイズ」表示エリア７１２ｄに「Ａ４」が表示されたときにポイントを止めると、送信サイズにＡ４が設定される。
【００３１】
「ファイル形式」ボタン７１２ｅは、ポイントされる度に「ファイル形式」表示エリア７１２ｆの表示が変わるので、「ファイル形式」ボタン７１２ｅによってユーザーが「ファイル形式」表示エリア７１２ｆに表示した「ファイル形式」を画像データ送信情報のファイル形式に設定することができる。例えば、ユーザーが「ファイル形式」ボタン７１２ｅをポイントし、「ファイル形式」表示エリア７１２ｆに「ＰＤＦ」が表示されたときにポイントを止めると、送信サイズにＰＤＦが設定される。
【００３２】
「解像度」ボタン７１２ｇは、ポイントされる度に「解像度」表示エリア７１２ｈの表示が変わるので、「解像度」ボタン７１２ｇによってユーザーが「解像度」表示エリア７１２ｈに表示した「解像度」を画像データ送信情報の解像度に設定することができる。例えば、ユーザーが「解像度」ボタン７１２ｇをポイントし、「解像度」表示エリア７１２hに「400×400」が表示されたときにポイントを止めると、解像度に400×400が設定される。
【００３３】
「カラーモード」ボタン７１２ｉは、ポイントされる度に「カラーモード」表示エリア７１２ｊの表示が変わるので、「カラーモード」ボタン７１２ｉによってユーザーが「カラーモード」表示エリア７１２ｊに表示した「カラーモード」を画像データ送信情報のカラーモードに設定することができる。例えば、ユーザーが「カラーモード」ボタン７１２ｉをポイントし、「カラーモード」表示エリア７１２ｊに「フルカラー」が表示されたときにポイントを止めると、カラーモードにフルカラーが設定される。
【００３４】
「サイズ表示」ボタン７１２ｋは、ポイントされる度に「サイズ表示」表示エリア７１２lの表示が「ＯＮ」または「ＯＦＦ」に変わるので、「サイズ表示」ボタン７１２ｋによってユーザーが表示エリア７１２lに「ＯＮ」を表示したときには、画像データ送信情報のサイズ表示に「ＯＮ」を設定することができ、表示エリア７１２lに「ＯＦＦ」を表示したときには、画像データ送信情報のサイズ表示に「ＯＦＦ」を設定することができる。例えば、ユーザーが「サイズ表示」ボタン７１２ｋをポイントし、「サイズ表示」表示エリア７１２lに「ＯＮ」が表示されたときにポイントを止めると、画像データ送信情報のサイズ表示にＯＮが設定され、送信ファイルサイズ画面７２０が表示される。
【００３５】
次に、図３（２）、（３）に示す送信ファイルサイズ画面７２０について説明する。送信ファイルサイズ画面７２０は、ユーザーが画像データのファイルサイズを確認するとき、または画像データのファイルを送信するときに表示する画面である。送信ファイルサイズ画面７２０から設定された情報は、メモリー部１２０の画像データ送信情報記憶エリア１２０ａに記憶される。送信ファイルサイズ画面７２０は、ファイルサイズ表示エリア７２１、解像度設定エリア７２２、カラーモード・ファイル形式設定エリア７２３、「キャンセル」ボタン７２４、及び「ＯＫ」ボタン７２５を備えている。
なお、画像データ送信情報設定画面７１０の「サイズ表示」表示エリア７１２lに「ＯＦＦ」が表示されているときには、「ファイルサイズ」表示エリア７２１に画像データのファイルサイズが表示されない。また、「サイズ表示」表示エリア７１２lに「ＯＦＦ」が設定されているときには、解像度設定エリア７２２及びカラーモード・ファイル形式設定エリア７２３の設定が不可となり、「キャンセル」ボタン７２４、及び「ＯＫ」ボタン７２５のみが使用可能となる。
【００３６】
「ファイルサイズ」表示エリア７２１は、画像データ送信情報設定画面７１０の「サイズ表示」表示エリア７１２lに「ＯＮ」が表示されているときに、送信ファイルサイズ画面７２０を最初に表示すると、画像データ送信情報設定画面７１０の「解像度」表示エリア７１２ｈの解像度、「カラーモード」表示エリア７１２ｊのカラーモード、及び「ファイル形式」表示エリア７１２ｆのファイル形式に変換した画像データのファイルサイズが表示される。
【００３７】
解像度設定エリア７２２は、「600×600」ボタン７２２ａ、「400×400」ボタン７２２ｂ、「300×300」ボタン７２２ｃ、「200×400」ボタン７２２ｄ、「200×200」ボタン７２２ｅ、及び「200×100」ボタン７２２ｆが設けられている。
【００３８】
「600×600」ボタン７２２ａ、「400×400」ボタン７２２ｂ、「300×300」ボタン７２２ｃ、「200×400」ボタン７２２ｄ、「200×200」ボタン７２２ｅ、又は「200×100」ボタン７２２ｆのいずれかをポイントすると、ポイントした「解像度」ボタンの色替えが行われ、ポイントした「解像度ｄｐｉ」を画像データ送信情報の解像度に設定することができる。
例えば、図３（２）に示すように「400×400」ボタン７２２ｂがポイントされると、「400×400」ボタン７２２ｂの色替えが行われ、画像データ送信情報の解像度に400×400ｄｐｉが設定される。次いで、図３（３）に示すように「200×200」ボタン７２２ｅがポイントされると、「200×200」ボタン７２２ｅの色替えが行われ、画像データ送信情報の解像度に200×200ｄｐｉが設定される。
【００３９】
カラーモード・ファイル形式設定エリア７２３は、「カラーモード」ボタン７２３ａ、「カラーモード」表示エリア７２３ｂ、「ファイル形式」ボタン７２３ｃ、及び「ファイル形式」表示エリア７２３ｄが設けられている。
【００４０】
「カラーモード」ボタン７２３ａは、ポイントされる度に「カラーモード」表示エリア７２３ｂの表示が変わるので、「カラーモード」ボタン７２３ａによってユーザーが「カラーモード」表示エリア７２３ｂに表示した「カラーモード」を画像データ送信情報のカラーモードに設定することができる。送信ファイルサイズ画面７２０が最初に表示されるときには、画像データ送信情報設定画面７１０の「カラーモード」表示エリア７１２ｊの「カラーモード」が「カラーモード」表示エリア７２３ｂに表示される。
【００４１】
「ファイル形式」ボタン７２３ｃは、ポイントされる度に「ファイル形式」表示エリア７２３ｄの表示が変わるので、「ファイル形式」ボタン７２３ｃによってユーザーが「ファイル形式」表示エリア７２３ｄに表示した「ファイル形式」を画像データ送信情報のファイル形式に設定することができる。送信ファイルサイズ画面７２０が最初に表示されるときには、画像データ送信情報設定画面７１０の「ファイル形式」表示エリア７１２ｆの「ファイル形式」が「ファイル形式」表示エリア７２３ｄに表示される。
【００４２】
「キャンセル」ボタン７２４は、画像データのファイルの送信をキャンセルするときにポイントするボタンである。「キャンセル」ボタン７２４をポイントすると、画像データのファイルの送信が取り消される。
【００４３】
「ＯＫ」ボタン７２５は、画像データのファイルの送信を行うときにポイントするボタンである。「ＯＫ」ボタン７２５をポイントすると、画像データのファイルの送信を実行する。例えば、図３（３）に示すように、「200×200」ボタン７２２ｅの色替えが行われ、「カラーモード」表示エリア７２３ｂに「フルカラー」が表示され、「ファイル形式」表示エリア７３２ｄに「ＰＤＦ」が表示され、「ファイルサイズ」表示エリア７２１に「１００．０」が表示されているときに「ＯＫ」ボタン７２５をポイントすると、図３（４）に示すように200×200ｄｐｉ、フルカラー、ＰＤＦファイル形式に変換された１００ＫＢの画像データのファイルが送信される。
【００４４】
次に、画像データ送信処理部１１０ａが実行する画像データ送信処理の手順について、図４を用いて説明する。
【００４５】
ユーザーが画像データ送信情報設定画面７１０及び送信ファイルサイズ画面７２０の設定を行い、原稿台に原稿をセットして操作パネル１５０の開始ボタンを押下する。操作パネル処理部１６０は、開始ボタンの押下操作により、制御部１１０に画像データの送信要求を出力する。制御部１１０が送信要求を入力すると、画像データ送信処理部１１０ａを起動し、画像データ送信処理部１１０ａが画像データ送信処理を開始する。画像データ送信処理部１１０ａが実行する画像データ送信処理について、図４に示すフローチャートのステップ順に説明する。
【００４６】
（ステップＳ１０１）
まず、画像データ送信処理部１１０ａは、原稿読取部１７０に原稿の読み込みを要求し、原稿読取部１７０が読み込んだ原稿から作成した原稿データを入力する。
【００４７】
（ステップＳ１０２）
次いで、画像データ送信処理部１１０ａは、メモリー部１２０の画像データ送信情報記憶エリア１２０ａから画像データ送信情報を取り出す。
【００４８】
（ステップＳ１０３）
次いで、画像データ送信処理部１１０ａは、画像データ送信情報のサイズ表示に「ＯＮ」が設定されているかを判定する。画像データ送信情報のサイズ表示に「ＯＮ」が設定されているとき（ステップＳ１０３のＹｅｓ）は、ステップＳ１０４に進む。画像データ送信情報のサイズ表示に「ＯＦＦ」が設定されているとき（ステップＳ１０３のＮｏ）は、ステップＳ１１２に進む。
【００４９】
（ステップＳ１０４）
ステップＳ１０３のＹｅｓにおいて、画像データ送信処理部１１０ａは、ステップＳ１０１で入力した原稿データを画像形成部１８０により最高の解像度であるベース画像（６００ｄｐｉ）に変換する。
【００５０】
（ステップＳ１０５） 
次いで、画像データ送信処理部１１０ａは、ベース画像に変換した画像データをベース画像データ一時記憶エリア１２０ｂに記憶する。
【００５１】
（ステップＳ１０６）
次いで、画像データ送信処理部１１０ａは、ベース画像に変換された画像データを画像形成部１８０により画像データ送信情報の解像度及びカラーモードに変換する。
【００５２】
（ステップＳ１０７） 
次いで、画像データ送信処理部１１０ａは、画像データから画像データ送信情報のファイル形式のファイルを作成する。
【００５３】
（ステップＳ１０８）
次いで、画像データ送信処理部１１０ａは、画像データのファイルサイズを画像データ送信情報記憶エリア１２０ａのファイルサイズに設定すると、送信ファイルサイズ画面７２０を再表示する。これにより、送信ファイルサイズ画面７２０の「ファイルサイズ」表示エリア７２１に画像データのファイルサイズが表示される。
【００５４】
（ステップＳ１０９） 
次いで、画像データ送信処理部１１０ａは、画像データ送信情報設定画面７１０または送信ファイルサイズ画面７２０の設定変更が行われたかを判定する。設定変更が行われたとき（ステップＳ１０９のＹｅｓ）は、ステップＳ１１０に進む。設定変更が行われていないとき（ステップＳ１０９のＮｏ）は、ステップＳ１１４に進む。
【００５５】
（ステップＳ１１０）
ステップＳ１０９のＹｅｓにおいて、画像データ送信処理部１１０ａは、メモリー部１２０の画像データ送信情報記憶エリア１２０ａから画像データ送信情報を取り出す。
【００５６】
（ステップＳ１１１）
次いで、画像データ送信処理部１１０ａは、ベース画像データ一時記憶エリア１２０ｂから画像データを取り出すと、ステップＳ１０６に戻る。
【００５７】
（ステップＳ１１２）
ステップＳ１０３のＮｏにおいて、画像データ送信処理部１１０ａは、ステップＳ１０１で取り出した原稿データを画像形成部１８０により画像データ送信情報の解像度及びカラーモードに変換する。
【００５８】
（ステップＳ１１３）
次いで、画像データ送信処理部１１０ａは、画像データから画像データ送信情報のファイル形式のファイルを作成する。
【００５９】
（ステップＳ１１４）
次に、画像データ送信処理部１１０ａは、送信ファイルサイズ画面７２０の「ＯＫ」ボタン７２５がポイントされたかを判定する。「ＯＫ」ボタン７２５がポイントされたとき（ステップＳ１１４のＹｅｓ）は、ステップＳ１１５に進む。「ＯＫ」ボタン７２５でなく「キャンセル」ボタン７２４がポイントされたとき（ステップＳ１１４のＮｏ）は、画像データ送信処理を終了する。
【００６０】
（ステップＳ１１５）
ステップＳ１１４のＹｅｓにおいて、画像データ送信処理部１１０ａは、ＬＡＮインターフェイス部１４０を経由して画像データのファイルを画像形成装置２００に送信し、画像データ送信を終了する。
【００６１】
なお、ステップＳ１１２、ステップＳ１１３、ステップＳ１１４、ステップＳ１１５のルートは、従来のファイル送信方法と同じで、ステップＳ１１５で送信エラーとなる場合もあり得る。
【００６２】
以上の画像形成装置１００は、画像データのファイルを送信する前に、設定された解像度、カラーモード、及びファイル形式に基づいて変換した画像データのファイルサイズを表示することができる。また、解像度、カラーモード、又はファイル形式が変更されたときには、変更された解像度、カラーモード、及びファイル形式に基づいて変換した画像データのファイルサイズを表示することができる。これによりユーザーは送信しようとしている画像データが送信可能か否かを容易に判断することができ、送信不可の場合でも、画像データ送信情報設定画面７１０と送信ファイルサイズ画面７２０を使って容易にファイルサイズを小さくでき、送信可能になるまでの時間を大幅に少なくできる。また、最高の解像度であるベース画像に変換した画像データを記憶しておくことで、解像度、カラーモード、又はファイル形式が複数回変更される場合でも、この最高の解像度であるベース画像の画像データに基づいて画像データを作成するので、画像データの劣化を防止することができる。これにより、今まで解像度、カラーモード、又はファイル形式を変更する度にユーザーが原稿を何回も読み取っていた作業を削減でき、また原稿を読み取る作業における原稿の劣化を防止できる。
【００６３】
なお、実施形態においては、ＬＡＮ４００に接続されている画像形成装置１００から画像形成装置２００に画像データのファイルを送信する場合について説明したが、これに限定されない。例えば、ＬＡＮ４００に接続されている画像形成装置からインターネット５００に接続されている画像形成装置に画像データのファイルを送信することも可能である。また、インターネット５００に接続されている画像形成装置からＬＡＮ４００に接続されている画像形成装置に画像データのファイルを送信することも可能である。更に、インターネット５００に接続されている画像形成装置からインターネット５００に接続されている画像形成装置に画像データのファイルを送信することも可能である。
【００６４】
このような本発明の画像形成装置、及び画像データ送信システムは、画像データのファイルを送信する前に、解像度、カラーモード、及びファイル形式の設定情報に基づいて変換した画像データのファイルサイズを表示できる。
【００６５】
以上、具体的な実施の形態により本発明を説明したが、上記実施の形態は本発明の例示であり、この実施の形態に限定されないことは言うまでもない。
【産業上の利用可能性】
【００６６】
本発明は、画像形成装置に好適であるが、画像形成装置、及び画像データ送信システムに限られるものではなく、画像データの解像度を変更できる装置及びシステム一般に適用できる。
【符号の説明】
【００６７】
１０・・・・・画像データ送信システム
１００・・・・・画像形成装置
１１０・・・・・制御部
１１０ａ・・・・画像データ送信処理部
１２０・・・・・メモリー部
１２０ａ・・・・画像データ送信情報記憶エリア
１２０ｂ・・・・ベース画像データ一時記憶エリア
１３０・・・・・データ保存部
１３０ａ・・・・画像データ保存エリア
１４０・・・・・ＬＡＮインターフェイス部
１５０・・・・・操作パネル
１６０・・・・・操作パネル処理部
１７０・・・・・原稿読取部
１８０・・・・・画像形成部
１９０・・・・・印刷部
２００・・・・・画像形成装置
３００・・・・・ルーター
４００・・・・・ＬＡＮ
５００・・・・・インターネット
７１０・・・・・画像データ送信情報設定画面
７１１・・・・・画像データプレビュー表示エリア
７１２・・・・・画像データ送信情報設定エリア
７１２ａ・・・・「原稿サイズ」ボタン
７１２ｂ・・・・「原稿サイズ」表示エリア
７１２ｃ・・・・「送信サイズ」ボタン
７１２ｄ・・・・「送信サイズ」表示エリア
７１２ｅ・・・・「ファイル形式」ボタン
７１２ｆ・・・・「ファイル形式」表示エリア
７１２ｇ・・・・「解像度」ボタン
７１２ｈ・・・・「解像度」表示エリア
７１２ｉ・・・・「カラーモード」ボタン
７１２ｊ・・・・「カラーモード」表示エリア
７１２ｋ・・・・「サイズ表示」ボタン
７１２ｌ・・・・「サイズ表示」表示エリア
７２０・・・・・送信ファイルサイズ画面
７２１・・・・・「ファイルサイズ」表示エリア
７２２・・・・・解像度設定エリア
７２２ａ・・・・「600×600」ボタン
７２２ｂ・・・・「400×400」ボタン
７２２ｃ・・・・「300×300」ボタン
７２２ｄ・・・・「200×400」ボタン
７２２ｅ・・・・「200×200」ボタン
７２２ｆ・・・・「200×100」ボタン
７２３・・・・・カラーモード・ファイル形式設定エリア
７２３ａ・・・・「カラーモード」ボタン
７２３ｂ・・・・「カラーモード」表示エリア
７２３ｃ・・・・「ファイル形式」ボタン
７２３ｄ・・・・「ファイル形式」表示エリア
７２４・・・・・「キャンセル」ボタン
７２５・・・・・「ＯＫ」ボタン
【図１】
2016012883.tif 000003
【図２】
2016012883.tif 000004
【図３】
2016012883.tif 000005
【図４】
2016012883.tif 000006